(57)【要約】【課題】１または複数の宅側装置が共通の通信回線を介して局側装置へ通信信号を送信し、各宅側装置から局側装置への前記通信信号が時分割多重される通信システムにおいて、上り光信号のパワーを宅側装置ごとに測定する。【解決手段】通信監視装置３０１は、通信回線を介して受信した通信信号に基づいて、通信回線に接続された宅側装置２０２を把握するための把握部１２と、把握された宅側装置２０２の中から、測定対象の宅側装置２０２である対象装置を決定するための測定対象決定部１３と、測定対象の宅側装置２０２が決定された後に通信回線を介して受信した通信信号に基づいて、当該通信信号の送信元の宅側装置２０２を特定するための送信元特定部１２と、送信元特定部１２による特定結果に基づいて、対象装置からの通信信号のパワー測定結果をパワー測定部１１から取得するためのパワー情報取得部１３とを備える。【選択図】図４
2014013967.tif 000002
【特許請求の範囲】
【請求項１】
１または複数の宅側装置が共通の通信回線を介して局側装置へ通信信号を送信し、各前記宅側装置から前記局側装置への前記通信信号が時分割多重される通信システムにおいて用いられる通信監視装置であって、
前記通信回線を介して受信した前記通信信号に基づいて、前記通信回線に接続された前記宅側装置を把握するための把握部と、
前記把握部によって把握された前記宅側装置の中から、測定対象の宅側装置である対象装置を決定するための測定対象決定部と、
前記測定対象決定部によって前記測定対象の宅側装置が決定された後に前記通信回線を介して受信した前記通信信号に基づいて、前記通信信号の送信元の前記宅側装置を特定するための送信元特定部と、
前記通信回線を介して受信した前記通信信号のパワーを測定するためのパワー測定部と、
前記送信元特定部による特定結果に基づいて、前記対象装置からの前記通信信号のパワー測定結果を前記パワー測定部から取得するためのパワー情報取得部とを備える、通信監視装置。
【請求項２】
前記通信監視装置は、さらに、
前記測定対象決定部によって前記測定対象の宅側装置が決定された後に前記通信回線を介して受信した前記通信信号に基づいて、前記通信信号を測定すべきタイミングを設定するためのタイミング設定部を備え、
前記パワー測定部は、前記タイミング設定部によって設定された前記タイミングに従い、前記通信信号のパワーを測定する、請求項１に記載の通信監視装置。
【請求項３】
前記パワー情報取得部は、前記送信元特定部によって特定された前記通信信号の送信元が前記対象装置である場合に、前記タイミング設定部に前記通信信号を測定すべきタイミングを設定させ、前記タイミングに従って前記パワー測定部によって測定されたパワーを前記対象装置からの前記通信信号のパワー測定結果として取得する、請求項２に記載の通信監視装置。
【請求項４】
前記タイミング設定部は、前記通信回線を介して前記通信信号が受信されるたびに前記通信信号を測定すべきタイミングを設定し、
前記パワー情報取得部は、前記パワー測定部による前記測定結果のうち、前記送信元特定部によって送信元が前記対象装置であると特定された前記通信信号の前記測定結果を、前記対象装置からの前記通信信号のパワー測定結果として取得する、請求項２に記載の通信監視装置。
【請求項５】
前記通信監視装置は、さらに、
前記送信元特定部による特定結果に基づいて、前記パワー情報取得部によって取得された前記測定結果を前記宅側装置ごとに提示するための提示部を備える、請求項１から請求項４のいずれか１項に記載の通信監視装置。
【請求項６】
１または複数の宅側装置が共通の通信回線を介して局側装置へ通信信号を送信し、各前記宅側装置から前記局側装置への前記通信信号が時分割多重される通信システムにおける通信監視方法であって、
前記通信回線を介して受信した前記通信信号に基づいて、前記通信回線に接続された前記宅側装置を把握するステップと、
把握した前記宅側装置の中から、測定対象の宅側装置である対象装置を決定するステップと、
前記測定対象の宅側装置を決定した後に前記通信回線を介して受信した前記通信信号に基づいて、前記通信信号の送信元の前記宅側装置を特定するステップと、
前記送信元の特定結果に基づいて、前記対象装置からの前記通信信号のパワー測定結果を取得するステップとを含む、通信監視方法。
【発明の詳細な説明】
【技術分野】
【０００１】
本発明は、通信監視装置および通信監視方法に関し、特に、宅側装置から局側装置へ送信される通信信号を監視する通信監視装置および通信監視方法に関する。
【背景技術】
【０００２】
近年、インターネットが広く普及しており、利用者は世界各地で運営されているサイトの様々な情報にアクセスし、その情報を入手することが可能である。これに伴って、ＡＤＳＬ（Asymmetric Digital Subscriber Line）およびＦＴＴＨ（Fiber To The Home）等のブロードバンドアクセスが可能な装置も急速に普及してきている。
【０００３】
ＩＥＥＥ  Ｓｔｄ  ８０２．３ａｈ（登録商標）−２００４（非特許文献１）には、複数の宅側装置（ＯＮＵ：Optical Network Unit）が光通信回線を共有して局側装置（ＯＬＴ：Optical Line Terminal）とのデータ伝送を行なう媒体共有形通信である受動的光ネットワーク（ＰＯＮ：Passive Optical Network）の１つの方式が開示されている。すなわち、ＰＯＮを通過するユーザ情報およびＰＯＮを管理運用するための制御情報を含め、すべての情報がイーサネット（登録商標）フレームの形式で通信されるＥＰＯＮ（Ethernet（登録商標） PON）と、ＥＰＯＮのアクセス制御プロトコル（ＭＰＣＰ（Multi-Point Control Protocol））およびＯＡＭ（Operations Administration and Maintenance）プロトコルとが規定されている。局側装置と宅側装置との間でＭＰＣＰフレームをやり取りすることによって、宅側装置の加入、離脱、および上りアクセス多重制御などが行なわれる。また、非特許文献１では、ＭＰＣＰメッセージによる、新規宅側装置の登録方法、帯域割り当て要求を示すレポート、および送信指示を示すゲートについて記載されている。
【０００４】
なお、１ギガビット／秒の通信速度を実現するＥＰＯＮであるＧＥ−ＰＯＮの次世代の技術として、ＩＥＥＥ８０２．３ａｖ（登録商標）−２００９として標準化が行なわれた１０Ｇ−ＥＰＯＮすなわち通信速度が１０ギガビット／秒相当のＥＰＯＮにおいても、アクセス制御プロトコルはＭＰＣＰが前提となっている。
【０００５】
ＰＯＮシステムにおける通信状態を監視する構成の一例として、たとえば、特開２０１０−２５８８９５号公報（特許文献１）には、以下のような通信監視装置が開示されている。すなわち、通信監視装置は、ＯＮＵからＯＬＴへの上り光信号を光ファイバ伝送路上の光カプラを介して受信する光信号受信手段と、光信号受信手段で受信した受信信号から、受信信号中のＭＡＣ（Medium Access Control）フレーム中のプリアンブルの相違に基づいてＭＣ（メディアコンバータ）方式による通信であるか、ＰＯＮ方式による通信であるかを自動判別する信号種別識別手段と、信号種別識別手段によって判別した信号種別に応じて、ＭＣ方式における通信状態またはＰＯＮ方式における通信状態を監視する通信監視手段とを備える。
【先行技術文献】
【非特許文献】
【０００６】
【非特許文献１】IEEE Std 802.3ah（登録商標）-2004
【特許文献】
【０００７】
【特許文献１】特開２０１０−２５８８９５号公報
【発明の概要】
【発明が解決しようとする課題】
【０００８】
ＰＯＮシステムにおける光ファイバの断線等を検知する方法としては、たとえば、特許文献１に記載されるような光パルス試験（ＯＴＤＲ：Optical Time-Domain Reflectometer）を行なう方法が考えられる。
【０００９】
しかしながら、光ファイバの異常をＯＮＵごとに検知するためには、このような光パルス試験では不十分であり、たとえば、上り光信号のパワーすなわち強度をＯＮＵごとに測定する必要がある。
【００１０】
ここで、ＰＯＮシステムにおいて、下り光信号は連続信号であり、また、局側装置は１台設けられることから、一般的な光パワーメータを用いて下り光信号のパワーを測定することができる。
【００１１】
一方、ＰＯＮシステムでは、宅側装置は複数台存在し、各ＯＮＵから局側装置への光信号が時分割多重されることから、上り光信号はバースト信号であり、上り光信号のパワーをＯＮＵごとに測定することは困難である。
【００１２】
この発明は、上述の課題を解決するためになされたもので、その目的は、１または複数の宅側装置が共通の通信回線を介して局側装置へ通信信号を送信し、各宅側装置から局側装置への前記通信信号が時分割多重される通信システムにおいて、上り光信号のパワーを宅側装置ごとに測定することが可能な通信監視装置および通信監視方法を提供することである。
【課題を解決するための手段】
【００１３】
上記課題を解決するために、この発明のある局面に係わる通信監視装置は、１または複数の宅側装置が共通の通信回線を介して局側装置へ通信信号を送信し、各上記宅側装置から上記局側装置への上記通信信号が時分割多重される通信システムにおいて用いられる通信監視装置であって、上記通信回線を介して受信した上記通信信号に基づいて、上記通信回線に接続された上記宅側装置を把握するための把握部と、上記把握部によって把握された上記宅側装置の中から、測定対象の宅側装置である対象装置を決定するための測定対象決定部と、上記測定対象決定部によって上記測定対象の宅側装置が決定された後に上記通信回線を介して受信した上記通信信号に基づいて、上記通信信号の送信元の上記宅側装置を特定するための送信元特定部と、上記通信回線を介して受信した上記通信信号のパワーを測定するためのパワー測定部と、上記送信元特定部による特定結果に基づいて、上記対象装置からの上記通信信号のパワー測定結果を上記パワー測定部から取得するためのパワー情報取得部とを備える。
【００１４】
このような構成により、通信システムにおいて、バースト信号である通信信号のパワーを宅側装置ごとに測定することができるため、たとえば通信回線の異常を宅側装置ごとに検知することができる。より詳細には、通信信号のパワー値を宅側装置ごとに測定可能な構成により、たとえば、局側装置および各宅側装置間において通信回線の切り替え工事を行った際に、当該切り替え工事前における各宅側装置のパワー値と当該切り替え工事後における各宅側装置のパワー値との比較から、当該工事の正常性を適切に判断することができる。また、通信回線のコネクタ嵌合およびゴミ付着等による微少なパワー低下等の不具合を宅側装置ごとに的確に発見することができる。また、局側装置から宅側装置への通信信号を用いることなく、宅側装置から局側装置への通信信号に基づいて、通信回線に接続された宅側装置を把握し、測定対象の宅側装置を決定し、当該通信信号の送信元の宅側装置を特定して測定対象の宅側装置のパワー値を取得することができるため、通信監視装置の構成および処理の簡易化を図ることができる。
【００１５】
好ましくは、上記通信監視装置は、さらに、上記測定対象決定部によって上記測定対象の宅側装置が決定された後に上記通信回線を介して受信した上記通信信号に基づいて、上記通信信号を測定すべきタイミングを設定するためのタイミング設定部を備え、上記パワー測定部は、上記タイミング設定部によって設定された上記タイミングに従い、上記通信信号のパワーを測定する。
【００１６】
このように、通信回線に接続された宅側装置を把握して測定対象の宅側装置を決定し、その後に受信する通信信号に基づいて測定タイミングを設定する構成により、たとえば１０Ｇ−ＥＰＯＮのように上り光信号が高速である場合でも、パワー値の測定を迅速に行なうことができる。
【００１７】
より好ましくは、上記パワー情報取得部は、上記送信元特定部によって特定された上記通信信号の送信元が上記対象装置である場合に、上記タイミング設定部に上記通信信号を測定すべきタイミングを設定させ、上記タイミングに従って上記パワー測定部によって測定されたパワーを上記対象装置からの上記通信信号のパワー測定結果として取得する。
【００１８】
このように、通信回線に接続された宅側装置を把握して測定対象の宅側装置を決定し、その後に受信する通信信号に基づいて測定タイミングを設定する構成により、たとえば１０Ｇ−ＥＰＯＮのように上り光信号が高速である場合でも、パワー値の測定を迅速に行なうことができる。
【００１９】
より好ましくは、上記タイミング設定部は、上記通信回線を介して上記通信信号が受信されるたびに上記通信信号を測定すべきタイミングを設定し、上記パワー情報取得部は、上記パワー測定部による上記測定結果のうち、上記送信元特定部によって送信元が上記対象装置であると特定された上記通信信号の上記測定結果を、上記対象装置からの上記通信信号のパワー測定結果として取得する。
【００２０】
このように、通信信号の送信元を特定する前に通信信号のパワー測定を行なう構成により、バースト信号である通信信号の測定範囲選択の自由度を高め、より適切なパワー測定を行なうことができる。
【００２１】
好ましくは、上記通信監視装置は、さらに、上記送信元特定部による特定結果に基づいて、上記パワー情報取得部によって取得された上記測定結果を上記宅側装置ごとに提示するための提示部を備える。
【００２２】
このような構成により、たとえば通信システムの工事の担当者に対して、宅側装置ごとの通信信号のパワー値を視認させることができる。
【００２３】
上記課題を解決するために、この発明のある局面に係わる通信監視方法は、１または複数の宅側装置が共通の通信回線を介して局側装置へ通信信号を送信し、各上記宅側装置から上記局側装置への上記通信信号が時分割多重される通信システムにおける通信監視方法であって、上記通信回線を介して受信した上記通信信号に基づいて、上記通信回線に接続された上記宅側装置を把握するステップと、把握した上記宅側装置の中から、測定対象の宅側装置である対象装置を決定するステップと、上記測定対象の宅側装置を決定した後に上記通信回線を介して受信した上記通信信号に基づいて、上記通信信号の送信元の上記宅側装置を特定するステップと、上記送信元の特定結果に基づいて、上記対象装置からの上記通信信号のパワー測定結果を取得するステップとを含む。
【００２４】
このような構成により、通信システムにおいて、バースト信号である通信信号のパワーを宅側装置ごとに測定することができるため、たとえば通信回線の異常を宅側装置ごとに検知することができる。より詳細には、通信信号のパワー値を宅側装置ごとに測定可能な構成により、たとえば、局側装置および各宅側装置間において通信回線の切り替え工事を行った際に、当該切り替え工事前における各宅側装置のパワー値と当該切り替え工事後における各宅側装置のパワー値との比較から、当該工事の正常性を適切に判断することができる。また、通信回線のコネクタ嵌合およびゴミ付着等による微少なパワー低下等の不具合を宅側装置ごとに的確に発見することができる。また、局側装置から宅側装置への通信信号を用いることなく、宅側装置から局側装置への通信信号に基づいて、通信回線に接続された宅側装置を把握し、測定対象の宅側装置を決定し、当該通信信号の送信元の宅側装置を特定して測定対象の宅側装置のパワー値を取得することができるため、通信監視装置の構成および処理の簡易化を図ることができる。
【発明の効果】
【００２５】
本発明によれば、１または複数の宅側装置が共通の通信回線を介して局側装置へ通信信号を送信し、各宅側装置から局側装置への前記通信信号が時分割多重される通信システムにおいて、上り光信号のパワーを宅側装置ごとに測定することができる。
【図面の簡単な説明】
【００２６】
【図１】本発明の実施の形態に係るＰＯＮシステムの構成を示す図である。
【図２】本発明の実施の形態に係るＰＯＮシステムにおける局側装置の構成を示す図である。
【図３】本発明の実施の形態に係る宅側装置の構成を示す図である。
【図４】本発明の実施の形態に係る通信監視装置の構成を示す図である。
【図５】本発明の実施の形態に係る通信監視装置が光パワーをＯＮＵごとに測定する際の動作手順を示すフローチャートである。
【図６】本発明の実施の形態に係る通信監視装置が光パワーをＯＮＵごとに測定する際の各ユニット間の情報のやり取りを示す図である。
【図７】本発明の実施の形態に係る通信監視装置が光パワーをＯＮＵごとに測定する際の信号および動作内容を示すタイムチャートである。
【図８】本発明の実施の形態に係る通信監視装置による光パワーの表示内容の一例を示す図である。
【図９】本発明の実施の形態に係る通信監視装置が光パワーをＯＮＵごとに測定する際の動作手順を示すフローチャートである。
【図１０】本発明の実施の形態に係る通信監視装置が光パワーをＯＮＵごとに測定する際の各ユニット間の情報のやり取りを示す図である。
【図１１】本発明の実施の形態に係る通信監視装置が光パワーをＯＮＵごとに測定する際の信号および動作のタイムチャートである。
【発明を実施するための形態】
【００２７】
以下、本発明の実施の形態について図面を用いて説明する。なお、図中同一または相当部分には同一符号を付してその説明は繰り返さない。
【００２８】
［構成および基本動作］
図１は、本発明の実施の形態に係るＰＯＮシステムの構成を示す図である。
【００２９】
図１を参照して、ＰＯＮシステム４０１は、局側装置１０１と、ＯＮＵ２０２Ａ，２０２Ｂ，２０２Ｃと、スプリッタＳＰと、通信監視装置３０１とを備える。ＯＮＵ２０２Ａ，２０２Ｂ，２０２Ｃと局側装置１０１とは、スプリッタＳＰおよび光ファイバＯＰＴＦを介して接続され、互いに光信号を送受信する。ＰＯＮシステム４０１では、ＯＮＵ２０２Ａ，２０２Ｂ，２０２Ｃから局側装置１０１への光信号が時分割多重される。
【００３０】
以下、ＯＮＵから上位ネットワークへの方向を上り方向と称し、上位ネットワークからＯＮＵへの方向を下り方向と称する。また、ＯＮＵ２０２Ａ，２０２Ｂ，２０２Ｃの各々をＯＮＵ２０２と称する場合がある。
【００３１】
通信監視装置３０１は、たとえばカプラを介して光ファイバＯＰＴＦに接続され、各ＯＮＵ２０２からの上り光信号を解析することにより、各ＯＮＵ２０２の状態を監視する。
【００３２】
図２は、本発明の実施の形態に係るＰＯＮシステムにおける局側装置の構成を示す図である。
【００３３】
図２を参照して、局側装置１０１は、アップリンクＩＦ（Interface）部３１と、受信処理部３３と、送信処理部３４と、ＰＯＮ送受信部３５と、制御部３６と、上りフレームを蓄積するＦＩＦＯ３７と、下りフレームを蓄積するＦＩＦＯ３８とを含む。
【００３４】
ＰＯＮ送受信部３５は、共通のＰＯＮ回線経由で各ＯＮＵ２０２と光信号を送受信する。すなわち、ＰＯＮ送受信部３５は、ＰＯＮ線路の親局側起点として、ＰＯＮ回線である光ファイバＯＰＴＦと接続される。ＰＯＮ送受信部３５は、光ファイバＯＰＴＦを介して各ＯＮＵ２０２と双方向通信が行なえるように、特定の波長、たとえば１３１０ｎｍ帯の上り光信号を受信し、電気信号に変換して受信処理部３３に出力するとともに、送信処理部３４から受けた電気信号を別波長の下り光信号に変換して送信する。たとえば、ＰＯＮ送受信部３５は、送信処理部３４から受けた１０Ｇｂｐｓ（ギガビット／秒）の電気信号を１５７０ｎｍ帯の下り光信号に変換して各ＯＮＵ２０２へ送信し、また、送信処理部３４から受けた１Ｇｂｐｓ（ギガビット／秒）の電気信号を１４９０ｎｍ帯の下り光信号に変換して各ＯＮＵ２０２へ送信する。
【００３５】
受信処理部３３は、ＰＯＮ送受信部３５から受けた電気信号からフレームを再構成するとともに、フレームの種別に応じて制御部３６またはＦＩＦＯ３７にフレームを振り分ける。具体的には、データフレームをＦＩＦＯ３７に出力し、制御フレームを制御部３６に出力する。
【００３６】
アップリンクＩＦ部３１は、ＦＩＦＯ３７に蓄積された上りフレームを上位ネットワークへ出力する。また、アップリンクＩＦ部３１は、上位ネットワークからフレームを受けると、当該フレームが通常のデータフレームである場合にはＦＩＦＯ３８に出力し、当該フレームが制御フレームである場合には制御部３６に出力する。
【００３７】
アップリンクＩＦ部３１は、制御部３６から制御フレームを受けた場合には、たとえば、ＦＩＦＯ３７からのフレーム列の合間において、当該制御フレームをＦＩＦＯ３７からのフレームよりも優先して上位ネットワークへ出力する。
【００３８】
送信処理部３４は、ＦＩＦＯ３８または制御部３６が送信すべきフレームを有する場合、優先順位に従ってそのフレームを受け取り、ＰＯＮ送受信部３５に出力する。
【００３９】
制御部３６は、ＭＰＣＰおよびＯＡＭなど、ＰＯＮ回線の制御および管理に関する局側処理を行なう。すなわち、ＰＯＮ回線に接続されている各ＯＮＵ２０２とＭＰＣＰメッセージおよびＯＡＭメッセージをやり取りすることによって、ＯＮＵ２０２の登録、離脱および帯域割り当てを含めた上りアクセス制御、下りアクセス制御、ならびにＯＮＵ２０２へのスリープ指示を含めたＯＮＵ２０２の運用管理などを行なう。
【００４０】
たとえば、制御部３６は、各ＯＮＵ２０２から受けたＰＯＮ回線における上り帯域の割り当て要求に基づいて、ＰＯＮ回線における上り帯域を各ＯＮＵ２０２に割り当てる。具体的には、制御部３６は、ＯＮＵ２０２から受けたＰＯＮ回線における帯域の割り当て要求を示すレポートフレームに基づいて、ＰＯＮ回線における帯域をＯＮＵ２０２に割り当てる、すなわちグラントを記したゲートフレームをＯＮＵ２０２へ送信する。
【００４１】
制御部３６は、各ＯＮＵ２０２からの上りフレームの到着タイミングが局側装置１０１において時間的に重複しないように、ＰＯＮ回線における上り帯域を各ＯＮＵ２０２に割り当てる。制御部３６は、ゲートフレームを用いて、ＯＮＵ２０２に対して、上りフレームの送信開始タイミングおよび送信可能データ長を通知する。
【００４２】
また、たとえば、制御部３６は、各ＯＮＵ２０２からのＰＯＮ回線における上り帯域の割り当て要求の受信期間、および予定された各ＯＮＵ２０２からの上りフレームの受信期間を含む割り当て周期すなわちＤＢＡ（Dynamic Bandwidth Allocation：動的帯域割当）サイクルを繰り返す。ここで、制御部３６は、たとえば、予定された各ＯＮＵ２０２からの上りフレームの受信期間において、上記帯域の割り当て量の演算を行なう。
【００４３】
図３は、本発明の実施の形態に係る宅側装置の構成を示す図である。
【００４４】
図３を参照して、ＯＮＵ２０２は、ＰＯＮポート２１と、光受信処理部２２と、バッファメモリ２３と、送信処理部２４と、ＵＮＩ（User Network Interface）ポート２５と、受信処理部２６と、バッファメモリ２７と、光送信処理部２８と、制御部２９とを備える。
【００４５】
光受信処理部２２は、局側装置１０１から送信される下り光信号をＰＯＮポート２１経由で受信して電気信号に変換し、当該電気信号からフレームを再構成するとともに、フレームの種別に応じてバッファメモリ２３経由で制御部２９または送信処理部２４に当該フレームを振り分ける。具体的には、光受信処理部２２は、データフレームを送信処理部２４に出力し、制御フレームを制御部２９に出力する。
【００４６】
送信処理部２４は、光受信処理部２２から受けたデータフレームをＵＮＩポート２５経由で図示しないパーソナルコンピュータ等のユーザ端末へ送信する。
【００４７】
受信処理部２６は、ＵＮＩポート２５経由でユーザ端末から受信したデータフレームをバッファメモリ２７経由で光送信処理部２８へ出力する。
【００４８】
制御部２９は、ＭＰＣＰおよびＯＡＭ等、ＰＯＮ回線の制御および管理に関する宅側処理を行なう。すなわち、ＰＯＮ回線に接続されている局側装置１０１とＭＰＣＰメッセージおよびＯＡＭメッセージをやり取りすることによって、アクセス制御等の各種制御を行なう。制御部２９は、各種制御情報を含む制御フレームを生成し、バッファメモリ２７経由で光送信処理部２８へ出力する。
【００４９】
光送信処理部２８は、受信処理部２６から受けたデータフレームおよび制御部２９から受けた制御フレームを光信号に変換し、ＰＯＮポート２１経由で局側装置１０１へ送信する。
【００５０】
図４は、本発明の実施の形態に係る通信監視装置の構成を示す図である。
【００５１】
図４を参照して、通信監視装置３０１は、光トランシーバ（パワー測定部）１１と、ＰＯＮ信号処理部（把握部および送信元特定部）１２と、光パワー測定制御部（測定対象決定部およびパワー情報取得部）１３と、タイミング信号生成部（タイミング設定部）１４と、記憶部１５と、表示制御部（提示部）１６とを備える。
【００５２】
光トランシーバ１１は、光信号を送受信する機能を有し、ＰＯＮ回線である光ファイバＯＰＴＦから上り光信号を受信して電気信号に変換し、ＰＯＮ受信信号としてＰＯＮ信号処理部１２へ出力する。なお、光トランシーバ１１の代わりに、バースト光信号の受信機能を有する光モジュール等を用いてもよい。
【００５３】
光パワー測定制御部１３は、通信監視装置３０１における各ユニットを制御することにより、ＯＮＵ２０２からの上り光信号のパワー測定制御を行なう。
【００５４】
タイミング信号生成部１４は、上り光信号を測定すべきタイミングを示すタイミング信号を生成し、光トランシーバ１１へ出力する。たとえば、タイミング信号生成部１４は、上りフレームの先頭タイミングから所定時間経過後を測定開始タイミングとする。これにより、パワーの不安定な上りフレームの先頭部分を避けて、上り光信号のパワーをより正確に測定することができる。
【００５５】
光トランシーバ１１は、ＰＯＮ回線を介して受信した上り光信号のパワーを測定する。より詳細には、光トランシーバ１１は、タイミング信号生成部１４から受けたタイミング信号の示すタイミングに従い、上り光信号のパワー測定およびパワー値計算を行なう。
【００５６】
記憶部１５は、各ＯＮＵ２０２の状態を管理するための管理テーブルを記憶する。この管理テーブルは、ＰＯＮ信号処理部１２および光パワー測定制御部１３によって作成および更新される。
【００５７】
［動作］
次に、本発明の実施の形態に係る通信監視装置が光パワーをＯＮＵごとに測定する際の動作について説明する。
【００５８】
ＰＯＮ信号処理部１２は、ＰＯＮ回線を介して受信した上り光信号、すなわち光トランシーバ１１が受信した上り光信号に基づいて、ＰＯＮ回線に接続されたＯＮＵ２０２を把握する。
【００５９】
たとえば、ＰＯＮ信号処理部１２は、局側装置１０１がＯＮＵ２０２に付与した識別子を、ＰＯＮ回線を介して受信した上り光信号から抽出し、抽出した識別子に基づいて、ＰＯＮ回線に接続されたＯＮＵ２０２を把握する。
【００６０】
より詳細には、ＰＯＮ信号処理部１２は、光トランシーバ１１から受けたＰＯＮ受信信号に含まれる上りフレームを解析し、たとえば当該上りフレームのヘッダにおけるロジカルリンク識別子（ＬＬＩＤ）またはＭＡＣアドレスから当該上りフレームの送信元のＯＮＵ２０２を特定する。また、ＰＯＮ信号処理部１２は、当該上りフレームのヘッダにおける優先度から、どのようなサービスの通信がＯＮＵ２０２を用いて行なわれているかを判断する。そして、ＰＯＮ信号処理部１２は、これらの解析結果を示す管理テーブルを作成し、記憶部１５に保存する。
【００６１】
ここで、ＬＬＩＤは、局側装置２０１がＯＮＵ２０２に付与する、ＰＯＮ回線における論理パスの識別子である。
【００６２】
光パワー測定制御部１３は、記憶部１５に保存された管理テーブルを参照して、ＰＯＮ信号処理部１２によって把握されたＯＮＵ２０２の中から、測定対象のＯＮＵ２０２である対象ＯＮＵを決定する。たとえば、光パワー測定制御部１３は、ＰＯＮ信号処理部１２によって把握されたすべてのＯＮＵ２０２を、測定対象のＯＮＵ２０２として順次決定する。
【００６３】
ＰＯＮ信号処理部１２は、光パワー測定制御部１３によって測定対象のＯＮＵ２０２が決定された後にＰＯＮ回線を介して受信した上り光信号に基づいて、当該上り光信号の送信元のＯＮＵ２０２を特定する。たとえば、ＰＯＮ信号処理部１２は、局側装置１０１がＯＮＵ２０２に付与した識別子であるＬＬＩＤを、ＰＯＮ回線を介して受信した上り光信号から抽出し、抽出した識別子に基づいて、当該上り光信号の送信元のＯＮＵ２０２を特定する。
【００６４】
光パワー測定制御部１３は、ＰＯＮ信号処理部１２による特定結果に基づいて、対象ＯＮＵからの上り光信号のパワー測定結果を光トランシーバ１１から取得する。
【００６５】
表示制御部１６は、ＰＯＮ信号処理部１２による特定結果に基づいて、光パワー測定制御部１３によって取得された測定結果をＯＮＵ２０２ごとに提示する。より詳細には、表示制御部１６は、記憶部１５から管理テーブルを読み出し、当該管理テーブルの内容を、図示しないパーソナルコンピュータ等の表示部に表示する制御を行なう。
【００６６】
図５は、本発明の実施の形態に係る通信監視装置が光パワーをＯＮＵごとに測定する際の動作手順を示すフローチャートである。図６は、本発明の実施の形態に係る通信監視装置が光パワーをＯＮＵごとに測定する際の各ユニット間の情報のやり取りを示す図である。図７は、本発明の実施の形態に係る通信監視装置が光パワーをＯＮＵごとに測定する際の信号および動作内容を示すタイムチャートである。図７は、ＯＮＵ＃１の光パワーが測定される様子を示している。
【００６７】
たとえば、タイミング信号生成部１４は、光パワー測定制御部１３によって測定対象のＯＮＵ２０２が決定された後にＰＯＮ回線を介して受信した上り光信号に基づいて、当該上り光信号を測定すべきタイミングを設定する。
【００６８】
そして、光トランシーバ１１は、タイミング信号生成部１４によって設定されたタイミングに従い、上り光信号のパワーを測定する。
【００６９】
より詳細には、光パワー測定制御部１３は、ＰＯＮ信号処理部１２によって特定された上り光信号の送信元が対象ＯＮＵである場合に、ＰＯＮ信号処理部１２経由でタイミング信号生成部１４に当該上り光信号を測定すべきタイミングを設定させ、当該タイミングに従って光トランシーバ１１によって測定されたパワーを対象ＯＮＵからの上り光信号のパワー測定結果として取得する。
【００７０】
具体的には、図５〜図７を参照して、まず、ＰＯＮ信号処理部１２は、上り光信号を解析して、具体的には光トランシーバ１１から受けたＰＯＮ受信信号を解析して、管理テーブルを作成する（ステップＳ１）。
【００７１】
次に、光パワー測定制御部１３は、記憶部１５から管理テーブルを読み出して、当該管理テーブルの示すＯＮＵ２０２の中から測定対象のＯＮＵ２０２である対象ＯＮＵを決定する。そして、光パワー測定制御部１３は、対象ＯＮＵのＬＬＩＤをＰＯＮ信号処理部１２に通知する（ステップＳ２）。
【００７２】
次に、光トランシーバ１１は、ＰＯＮ回線から上り光信号を受信して電気信号に変換し、ＰＯＮ受信信号としてＰＯＮ信号処理部１２へ出力する（ステップＳ３）。
【００７３】
次に、ＰＯＮ信号処理部１２は、光トランシーバ１１から受けたＰＯＮ受信信号を解析することにより、上り光信号の送信元のＯＮＵ２０２を特定する（ステップＳ４）。
【００７４】
次に、ＰＯＮ信号処理部１２は、特定したＯＮＵ２０２のＬＬＩＤと、光パワー測定制御部１３から通知された対象ＯＮＵのＬＬＩＤとが一致する場合には、対象ＯＮＵの上り光信号を受信した旨をタイミング信号生成部１４に通知する。そして、タイミング信号生成部１４は、ＰＯＮ信号処理部１２から当該通知を受けて、当該上り光信号を測定すべきタイミングを示すタイミング信号を光トランシーバ１１へ出力する（ステップＳ５）。
【００７５】
次に、光トランシーバ１１は、タイミング信号生成部１４から受けたタイミング信号の示すタイミングで上り光信号のパワーを測定し、パワー値を計算する（ステップＳ６）。
【００７６】
次に、光パワー測定制御部１３は、光トランシーバ１１によるパワー測定およびパワー値計算が完了したタイミングで光トランシーバ１１から当該上り光信号のパワー値を読み出す。ここで、光パワー測定制御部１３には、光トランシーバ１１によるパワー測定およびパワー値計算の所要時間が予め設定されており、光パワー測定制御部１３は、タイミング信号生成部１４からタイミング信号が光トランシーバ１１へ出力されてから当該所要時間経過後にパワー値の読み出しを行なう（ステップＳ７）。
【００７７】
次に、光パワー測定制御部１３は、光トランシーバ１１から読み出したパワー値を対象ＯＮＵからの上り光信号のパワー値として記憶部１５における管理テーブルに追加する。たとえば、光パワー測定制御部１３は、以上のような測定対象のＯＮＵ２０２の選択および測定対象のＯＮＵ２０２からの上り光信号のパワー値の取得を、管理テーブルに記されたすべてのＯＮＵ２０２について行い、これらのパワー値を管理テーブルに追加する（ステップＳ８）。
【００７８】
次に、表示制御部１６は、記憶部１５における管理テーブルの示すパワー値をＯＮＵ２０２ごとに表示する制御を行なう（ステップＳ９）。
【００７９】
図８は、本発明の実施の形態に係る通信監視装置による光パワーの表示内容の一例を示す図である。
【００８０】
図８を参照して、表示制御部１６は、ＯＮＵ２０２のＭＡＣアドレスと、光パワーと、リンク状態と、各優先度における通信状態との対応関係を表示する。
【００８１】
この例では、ＭＡＣアドレスが「Ａａ：ａａ：ａａ：ａａ：ａａ：ａａ」のＯＮＵ２０２について、上り光信号のパワー値が−２０ｄＢｍであり、局側装置１０１とのリンクが確立しており、優先度０のサービスの通信が行なわれている。また、ＭＡＣアドレスが「Ｂｂ：ｂｂ：ｂｂ：ｂｂ：ｂｂ：ｂｂ」のＯＮＵ２０２について、上り光信号のパワー値が−１９ｄＢｍであり、局側装置１０１とのリンクが確立しており、各種サービスの通信は行なわれていない。また、ＭＡＣアドレスが「Ｃｃ：ｃｃ：ｃｃ：ｃｃ：ｃｃ：ｃｃ」のＯＮＵ２０２について、上り光信号のパワー値が−２２ｄＢｍであり、局側装置１０１とのリンクが確立しており、各種サービスの通信は行なわれていない。
【００８２】
また、上記のようなパワー測定結果の取得方法に限らず、以下のようにパワー測定結果を取得する構成であってもよい。すなわち、タイミング信号生成部１４は、ＰＯＮ回線を介して上り光信号が受信されるたびに当該上り光信号を測定すべきタイミングを設定する。そして、光パワー測定制御部１３は、光トランシーバ１１による測定結果のうち、ＰＯＮ信号処理部１２によって送信元が対象ＯＮＵであると特定された上り光信号の測定結果を、対象ＯＮＵからの上り光信号のパワー測定結果として取得する。
【００８３】
図９は、本発明の実施の形態に係る通信監視装置が光パワーをＯＮＵごとに測定する際の動作手順を示すフローチャートである。図１０は、本発明の実施の形態に係る通信監視装置が光パワーをＯＮＵごとに測定する際の各ユニット間の情報のやり取りを示す図である。図１１は、本発明の実施の形態に係る通信監視装置が光パワーをＯＮＵごとに測定する際の信号および動作のタイムチャートである。図１１は、ＯＮＵ＃１の光パワーが測定される様子を示している。
【００８４】
図９〜図１１を参照して、まず、ＰＯＮ信号処理部１２は、上り光信号を解析して、具体的には光トランシーバ１１から受けたＰＯＮ受信信号を解析して、管理テーブルを作成する（ステップＳ１１）。
【００８５】
次に、光パワー測定制御部１３は、記憶部１５から管理テーブルを読み出して、当該管理テーブルの示すＯＮＵ２０２の中から測定対象のＯＮＵ２０２である対象ＯＮＵを決定する。そして、光パワー測定制御部１３は、タイミング信号生成部１４に光パワー測定開始指示を与える（ステップＳ１２）。
【００８６】
次に、光トランシーバ１１は、ＰＯＮ回線から上り光信号を受信して電気信号に変換し、ＰＯＮ受信信号としてＰＯＮ信号処理部１２へ出力する。そして、ＰＯＮ信号処理部１２は、光トランシーバ１１から受けたＰＯＮ受信信号に上りフレームが含まれている場合に、上りフレームを受信した旨をタイミング信号生成部１４に通知する（ステップＳ１３）。
【００８７】
次に、タイミング信号生成部１４は、ＰＯＮ信号処理部１２から当該通知を受けて、当該上り光信号を測定すべきタイミングを示すタイミング信号を光トランシーバ１１へ出力する。より詳細には、タイミング信号生成部１４は、上りフレームの先頭タイミングから所定時間経過後に上記タイミング信号を出力する（ステップＳ１４）。
【００８８】
次に、光トランシーバ１１は、タイミング信号生成部１４から受けたタイミング信号の示すタイミングで上り光信号のパワーを測定し、パワー値を計算する（ステップＳ１５）。
【００８９】
この光トランシーバ１１によるパワー測定およびパワー値計算と並行して、ＰＯＮ信号処理部１２は、光トランシーバ１１から受けたＰＯＮ受信信号を解析することにより、当該上り光信号の送信元のＯＮＵ２０２を特定し、特定したＯＮＵ２０２のＬＬＩＤを光パワー測定制御部１３に通知する（ステップＳ１６）。
【００９０】
次に、光パワー測定制御部１３は、対象ＯＮＵのＬＬＩＤと、ＰＯＮ信号処理部１２から通知されたＯＮＵ２０２のＬＬＩＤとが一致しない場合には（ステップＳ１７でＮＯ）、光トランシーバ１１からパワー値を読み出すことなく、ＰＯＮ信号処理部１２からＯＮＵ２０２のＬＬＩＤが新たに通知されるまで待機する。
【００９１】
一方、光パワー測定制御部１３は、対象ＯＮＵのＬＬＩＤと、ＰＯＮ信号処理部１２から通知されたＯＮＵ２０２のＬＬＩＤとが一致する場合には（ステップＳ１７でＹＥＳ）、光トランシーバ１１によるパワー測定およびパワー値計算が完了したタイミングで光トランシーバ１１から当該上り光信号のパワー値を読み出す。ここで、光パワー測定制御部１３には、光トランシーバ１１によるパワー測定およびパワー値計算の所要時間が予め設定されており、光パワー測定制御部１３は、タイミング信号生成部１４から最新のタイミング信号が光トランシーバ１１へ出力されてから当該所要時間経過後にパワー値の読み出しを行なう（ステップＳ１８）。
【００９２】
次に、光パワー測定制御部１３は、光トランシーバ１１から読み出したパワー値を対象ＯＮＵからの上り光信号のパワー値として記憶部１５における管理テーブルに追加する。たとえば、光パワー測定制御部１３は、以上のような測定対象のＯＮＵ２０２の選択および測定対象のＯＮＵ２０２からの上り光信号のパワー値の取得を、管理テーブルに記されたすべてのＯＮＵ２０２について行い、これらのパワー値を管理テーブルに追加する（ステップＳ１９）。
【００９３】
次に、表示制御部１６は、記憶部１５における管理テーブルの示すパワー値をＯＮＵ２０２ごとに表示する制御を行なう（ステップＳ２０）。
【００９４】
なお、光パワー測定制御部１３は、対象ＯＮＵから複数回送信された上り光信号のパワー測定結果をそれぞれ取得し、取得した各測定結果の平均を算出する構成であってもよい。
【００９５】
具体的には、光パワー測定制御部１３は、同じＯＮＵ２０２についてパワー測定を複数回行い、光トランシーバ１１から読み出した各パワー値を平均した値を管理テーブルに追加する。
【００９６】
ところで、光ファイバの異常をＯＮＵごとに検知するためには、特許文献１に記載されるような光パルス試験では不十分であり、たとえば、上り光信号のパワーすなわち強度をＯＮＵごとに測定する必要がある。しかしながら、ＰＯＮシステムでは、宅側装置は複数台存在し、各ＯＮＵから局側装置への光信号が時分割多重されることから、上り光信号はバースト信号であり、上り光信号のパワーをＯＮＵごとに測定することは困難である。
【００９７】
これに対して、本発明の実施の形態に係る通信監視装置では、ＰＯＮ信号処理部１２は、ＰＯＮ回線を介して受信した上り光信号に基づいて、ＰＯＮ回線に接続されたＯＮＵ２０２を把握する。光パワー測定制御部１３は、ＰＯＮ信号処理部１２によって把握されたＯＮＵ２０２の中から、測定対象のＯＮＵ２０２である対象ＯＮＵを決定する。ＰＯＮ信号処理部１２は、光パワー測定制御部１３によって測定対象のＯＮＵ２０２が決定された後にＰＯＮ回線を介して受信した上り光信号に基づいて、当該上り光信号の送信元のＯＮＵ２０２を特定する。光トランシーバ１１は、ＰＯＮ回線を介して受信した上り光信号のパワーを測定する。そして、光パワー測定制御部１３は、ＰＯＮ信号処理部１２による特定結果に基づいて、対象ＯＮＵからの上り光信号のパワー測定結果を光トランシーバ１１から取得する。
【００９８】
このような構成により、ＰＯＮシステムにおいて、バースト信号である上り光信号のパワーをＯＮＵごとに測定することができるため、たとえば光ファイバの異常をＯＮＵごとに検知することができる。
【００９９】
より詳細には、光信号のパワー値をＯＮＵ２０２ごとに測定可能な構成により、たとえば、局側装置１０１および各ＯＮＵ２０２間において光ファイバの切り替え工事を行った際に、当該切り替え工事前における各ＯＮＵ２０２のパワー値と当該切り替え工事後における各ＯＮＵ２０２のパワー値との比較から、当該工事の正常性を適切に判断することができる。また、光ファイバのコネクタ嵌合およびゴミ付着等による微少なパワー低下等の不具合をＯＮＵ２０２ごとに的確に発見することができる。
【０１００】
また、局側装置１０１からの下り光信号を用いることなく、上り光信号に基づいて、ＰＯＮ回線に接続されたＯＮＵ２０２を把握し、測定対象のＯＮＵ２０２を決定し、上り光信号の送信元のＯＮＵ２０２を特定して測定対象のＯＮＵ２０２のパワー値を取得することができるため、通信監視装置の構成および処理の簡易化を図ることができる。
【０１０１】
また、本発明の実施の形態に係る通信監視装置では、タイミング信号生成部１４は、光パワー測定制御部１３によって測定対象のＯＮＵ２０２が決定された後にＰＯＮ回線を介して受信した上り光信号に基づいて、当該上り光信号を測定すべきタイミングを設定する。そして、光トランシーバ１１は、タイミング信号生成部１４によって設定されたタイミングに従い、上り光信号のパワーを測定する。
【０１０２】
このように、ＰＯＮ回線に接続されたＯＮＵ２０２を把握して測定対象のＯＮＵ２０２を決定し、その後に受信する上り光信号に基づいて測定タイミングを設定する構成により、たとえば１０Ｇ−ＥＰＯＮのように上り光信号が高速である場合でも、パワー値の測定を迅速に行なうことができる。
【０１０３】
また、本発明の実施の形態に係る通信監視装置では、光パワー測定制御部１３は、ＰＯＮ信号処理部１２によって特定された上り光信号の送信元が対象ＯＮＵである場合に、ＰＯＮ信号処理部１２経由でタイミング信号生成部１４に当該上り光信号を測定すべきタイミングを設定させ、当該タイミングに従って光トランシーバ１１によって測定されたパワーを対象ＯＮＵからの上り光信号のパワー測定結果として取得する。
【０１０４】
このように、上り光信号の送信元が測定対象のＯＮＵ２０２であることを特定した後に光トランシーバ１１におけるパワー測定を行なう構成により、光トランシーバ１１におけるパワー測定およびパワー値計算が無駄に行なわれることを防ぐことができる。
【０１０５】
また、本発明の実施の形態に係る通信監視装置では、タイミング信号生成部１４は、ＰＯＮ回線を介して上り光信号が受信されるたびに当該上り光信号を測定すべきタイミングを設定する。そして、光パワー測定制御部１３は、光トランシーバ１１による測定結果のうち、ＰＯＮ信号処理部１２によって送信元が対象ＯＮＵであると特定された上り光信号の測定結果を、対象ＯＮＵからの上り光信号のパワー測定結果として取得する。
【０１０６】
このように、上り光信号の送信元を特定する前に光トランシーバ１１におけるパワー測定を行なう構成により、バースト信号である上り光信号の測定範囲選択の自由度を高め、より適切なパワー測定を行なうことができる。
【０１０７】
また、本発明の実施の形態に係る通信監視装置では、ＰＯＮ信号処理部１２は、局側装置１０１がＯＮＵ２０２に付与した識別子を、ＰＯＮ回線を介して受信した上り光信号から抽出し、抽出した識別子に基づいて、ＰＯＮ回線に接続されたＯＮＵ２０２を把握する。
【０１０８】
このような構成により、たとえばユーザ端末において付与されるＭＡＣアドレスと比べて、ＰＯＮ回線に接続されたＯＮＵ２０２の把握を容易に行なうことができる。
【０１０９】
また、本発明の実施の形態に係る通信監視装置では、ＰＯＮ信号処理部１２は、局側装置１０１がＯＮＵ２０２に付与した識別子を、ＰＯＮ回線を介して受信した上り光信号から抽出し、抽出した識別子に基づいて、当該上り光信号の送信元のＯＮＵ２０２を特定する。
【０１１０】
このような構成により、たとえばユーザ端末において付与されるＭＡＣアドレスと比べて、上り光信号の送信元のＯＮＵ２０２の特定を容易に行なうことができる。
【０１１１】
また、本発明の実施の形態に係る通信監視装置では、表示制御部１６は、ＰＯＮ信号処理部１２による特定結果に基づいて、光パワー測定制御部１３によって取得された測定結果をＯＮＵ２０２ごとに提示する。
【０１１２】
このような構成により、たとえばＰＯＮシステムの工事の担当者に対して、ＯＮＵ２０２ごとの上り光信号のパワー値を視認させることができる。
【０１１３】
また、本発明の実施の形態に係る通信監視装置では、光パワー測定制御部１３は、ＰＯＮ信号処理部１２によって把握されたすべてのＯＮＵ２０２を、測定対象のＯＮＵ２０２として決定する。
【０１１４】
このような構成により、ＰＯＮ回線に接続されたすべてのＯＮＵ２０２からの上り光信号のパワー値をＯＮＵ２０２ごとに取得することができるため、たとえばＰＯＮシステムの工事の担当者により有用な情報を提供することが可能となる。
【０１１５】
また、本発明の実施の形態に係る通信監視装置では、光パワー測定制御部１３は、対象ＯＮＵから複数回送信された上り光信号のパワー測定結果をそれぞれ取得し、取得した各測定結果の平均を算出する。
【０１１６】
このような構成により、上り光信号の受信パワーがばらつく場合でも、より正確なパワー値を取得することができる。
【０１１７】
なお、本発明の実施の形態に係るＰＯＮシステムでは、通信監視装置３０１が、局側装置１０１およびＯＮＵ２０２とは別個に設けられる構成であるとしたが、これに限定するものではない。たとえば、局側装置１０１が通信監視装置３０１を備える構成であってもよい。
【０１１８】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１１９】
［付記１］
１または複数の宅側装置が共通の通信回線を介して局側装置へ通信信号を送信し、各前記宅側装置から前記局側装置への前記通信信号が時分割多重される通信システムにおける通信監視方法であって、
前記通信回線を介して受信した前記通信信号に基づいて、前記通信回線に接続された前記宅側装置を把握するステップと、
把握した前記宅側装置の中から、測定対象の宅側装置である対象装置を決定するステップと、
前記測定対象の宅側装置を決定した後に前記通信回線を介して受信した前記通信信号に基づいて、前記通信信号の送信元の前記宅側装置を特定するステップと、
前記送信元の特定結果に基づいて、前記対象装置からの前記通信信号のパワー測定結果を取得するステップとを含む、通信監視方法。
【０１２０】
［付記２］
前記通信監視方法は、さらに、
前記対象装置を決定した後に前記通信回線を介して受信した前記通信信号に基づいて、前記通信信号を測定すべきタイミングを設定するステップと、
設定した前記タイミングに従い、前記通信回線を介して受信した前記通信信号のパワーを測定するステップとを含む、付記１に記載の通信監視方法。
【０１２１】
［付記３］
前記タイミングを設定するステップにおいては、特定した前記通信信号の送信元が前記対象装置である場合に、前記通信信号を測定すべきタイミングを設定し、
前記パワー測定結果を取得するステップにおいては、前記タイミングに従って測定したパワーを前記対象装置からの前記通信信号のパワー測定結果として取得する、付記２に記載の通信監視方法。
【０１２２】
［付記４］
前記タイミングを設定するステップにおいては、前記通信回線を介して前記通信信号が受信されるたびに前記通信信号を測定すべきタイミングを設定し、
前記パワー測定結果を取得するステップにおいては、前記測定結果のうち、送信元が前記対象装置であると特定した前記通信信号の前記測定結果を、前記対象装置からの前記通信信号のパワー測定結果として取得する、付記２に記載の通信監視方法。
【０１２３】
［付記５］
前記通信回線に接続された前記宅側装置を把握するステップにおいては、前記局側装置が前記宅側装置に付与した識別子を、前記通信回線を介して受信した前記通信信号から抽出し、抽出した前記識別子に基づいて、前記通信回線に接続された前記宅側装置を把握する、付記１から付記４のいずれか１つに記載の通信監視方法。
【０１２４】
［付記６］
前記通信信号の送信元の前記宅側装置を特定するステップにおいては、前記局側装置が前記宅側装置に付与した識別子を、前記通信回線を介して受信した前記通信信号から抽出し、抽出した前記識別子に基づいて、前記通信信号の送信元の前記宅側装置を特定する、付記１から付記５のいずれか１つに記載の通信監視方法。
【０１２５】
［付記７］
前記通信監視方法は、さらに、
前記送信元の特定結果に基づいて、取得した前記測定結果を前記宅側装置ごとに提示するステップを含む、付記１から付記６のいずれか１つに記載の通信監視方法。
【０１２６】
［付記８］
前記対象装置を決定するステップにおいては、把握したすべての前記宅側装置を、測定対象の宅側装置として決定する、付記１から付記７のいずれか１つに記載の通信監視方法。
【０１２７】
［付記９］
前記パワー測定結果を取得するステップにおいては、前記対象装置から複数回送信された前記通信信号のパワー測定結果をそれぞれ取得し、取得した各前記測定結果の平均を算出する、付記１から付記８のいずれか１つに記載の通信監視方法。
【符号の説明】
【０１２８】
１１  光トランシーバ（パワー測定部）
１２  ＰＯＮ信号処理部（把握部および送信元特定部）
１３  光パワー測定制御部（測定対象決定部およびパワー情報取得部）
１４  タイミング信号生成部（タイミング設定部）
１５  記憶部
１６  表示制御部（提示部）
２１  ＰＯＮポート
２２  光受信処理部
２３  バッファメモリ
２４  送信処理部
２５  ＵＮＩポート
２６  受信処理部
２７  バッファメモリ
２８  光送信処理部
２９  制御部
３１  アップリンクＩＦ部
３２  
３３  受信処理部
３４  送信処理部
３５  ＰＯＮ送受信部
３６  制御部
３７，３８  ＦＩＦＯ
１０１  局側装置（ＯＬＴ）
２０２  宅側装置（ＯＮＵ）
２０３−１〜２０３−Ｎ  ＰＯＮ回線
２０４−１〜２０４−Ｎ  光カプラ
３０１  通信監視装置
４０１  ＰＯＮシステム
ＳＰ  スプリッタ
ＯＰＴＦ  光ファイバ
【図１】
2014013967.tif 000003
【図２】
2014013967.tif 000004
【図３】
2014013967.tif 000005
【図４】
2014013967.tif 000006
【図５】
2014013967.tif 000007
【図６】
2014013967.tif 000008
【図７】
2014013967.tif 000009
【図８】
2014013967.tif 000010
【図９】
2014013967.tif 000011
【図１０】
2014013967.tif 000012
【図１１】
2014013967.tif 000013